(57)【特許請求の範囲】
【請求項１】
無線ＬＡＮにおけるアップリンクフレームを送信する方法であって、
ＵＬ−ＯＦＤＭＡ送信ＳＴＡグループに含まれる少なくとも一つのＳＴＡが、ＡＰからＵＬ−ＯＦＤＭＡ送信をトリガリングするＰＰＤＵを受信するステップであって、前記ＰＰＤＵは送信パワー決定情報を示す、ステップと、
前記少なくとも一つのＳＴＡが前記送信パワー決定情報に基づいてアップリンク送信パワーを決定するステップと、
前記少なくとも一つのＳＴＡがＯＦＤＭＡに基づいて割当てを受けたチャネルの各々を介して重複時間リソース上で前記アップリンク送信パワーによりアップリンクフレームを送信するステップと、を含み、
前記ＰＰＤＵは第１部分とその後の第２部分を含み、前記第２部分は高効率ショートトレーニングフィールド（ＨＥ−ＳＴＦ）、高効率ロングトレーニングフィールド（ＨＥ−ＬＴＦ）及びデータフィールドを含み、ダウンリンク周波数帯域内の前記第２部分に適用されるＩＦＦＴの大きさは、前記ダウンリンク周波数帯域内の前記第１部分に適用されるＩＦＦＴの大きさより４倍多く、前記第１部分は、前記ダウンリンク周波数帯域に関する情報を含む高効率信号Ａ（ＨＥ−ＳＩＧ  Ａ）と前記少なくとも一つのＳＴＡに関する情報を含む高効率信号Ｂ（ＨＥ−ＳＩＧ  Ｂ）を含み、
前記ＵＬ−ＯＦＤＭＡ送信ＳＴＡグループは、前記ＯＦＤＭＡに基づいて前記ＡＰに前記重複時間リソース上で互いに異なる周波数リソースを介して前記アップリンクフレームを送信する前記少なくとも一つのＳＴＡを含むグループである、方法。
【請求項２】
前記送信パワー決定情報は、前記ＵＬ−ＯＦＤＭＡ送信ＳＴＡグループにより使われるチャネルに対する情報を含む、請求項１に記載の方法。
【請求項３】
前記ダウンリンク周波数帯域の帯域幅は２０ＭＨｚである、請求項１に記載の方法。
【請求項４】
前記送信パワー決定情報は、前記ＵＬ−ＯＦＤＭＡ送信ＳＴＡグループにより使われるチャネルに対する情報を含み、
前記ＵＬ−ＯＦＤＭＡ送信ＳＴＡグループにより使われるチャネルに対する情報は、全体ＵＬ−ＯＦＤＭＡ送信チャネルのうち、前記ＵＬ−ＯＦＤＭＡ送信ＳＴＡグループにより使われるＵＬ−ＯＦＤＭＡ送信チャネルを指示するためのビットマップ情報またはインデックス情報である、請求項１に記載の方法。
【請求項５】
前記送信パワー決定情報は、前記ＵＬ−ＯＦＤＭＡ送信ＳＴＡグループに含まれている前記少なくとも一つのＳＴＡの個数に対する情報を含む、請求項１に記載の方法。
【請求項６】
無線ＬＡＮにおけるアップリンクフレームを送信するＵＬ−ＯＦＤＭＡ送信ＳＴＡグループに含まれる少なくとも一つのＳＴＡにおいて、
無線信号を送信または受信するために具現されたＲＦ部と、
前記ＲＦ部と動作可能に連結されるプロセッサと、を含み、
前記プロセッサは、ＡＰからＵＬ−ＯＦＤＭＡ送信をトリガリングするＰＰＤＵを受信し、前記ＰＰＤＵは送信パワー決定情報を示し、前記ＰＰＤＵは第１部分とその後の第２部分を含み、前記第２部分は高効率ショートトレーニングフィールド（ＨＥ−ＳＴＦ）、高効率ロングトレーニングフィールド（ＨＥ−ＬＴＦ）及びデータフィールドを含み、ダウンリンク周波数帯域内の前記第２部分に適用されるＩＦＦＴの大きさは、前記ダウンリンク周波数帯域内の前記第１部分に適用されるＩＦＦＴの大きさより４倍多く、前記第１部分は、前記ダウンリンク周波数帯域に関する情報を含む高効率信号Ａ（ＨＥ−ＳＩＧ  Ａ）と前記少なくとも一つのＳＴＡに関する情報を含む高効率信号Ｂ（ＨＥ−ＳＩＧ  Ｂ）を含み、
前記送信パワー決定情報に基づいてアップリンク送信パワーを決定し、
ＯＦＤＭＡに基づいて割当てを受けたチャネルの各々を介して重複時間リソース上で前記アップリンク送信パワーによりアップリンクフレームを送信するように具現され、
前記ＵＬ−ＯＦＤＭＡ送信ＳＴＡグループは、前記ＯＦＤＭＡに基づいて前記ＡＰに前記重複時間リソース上で互いに異なる周波数リソースを介して前記アップリンクフレームを送信する前記少なくとも一つのＳＴＡを含むグループである、ＳＴＡ。
【請求項７】
前記送信パワー決定情報は、前記ＵＬ−ＯＦＤＭＡ送信ＳＴＡグループにより使われるチャネルに対する情報を含む、請求項６に記載のＳＴＡ。
【請求項８】
前記ダウンリンク周波数帯域の帯域幅は２０ＭＨｚである、請求項６に記載のＳＴＡ。
【請求項９】
前記送信パワー決定情報は、前記ＵＬ−ＯＦＤＭＡ送信ＳＴＡグループにより使われるチャネルに対する情報を含み、
前記ＵＬ−ＯＦＤＭＡ送信ＳＴＡグループにより使われるチャネルに対する情報は、全体ＵＬ−ＯＦＤＭＡ送信チャネルのうち、前記ＵＬ−ＯＦＤＭＡ送信ＳＴＡグループにより使われるＵＬ−ＯＦＤＭＡ送信チャネルを指示するためのビットマップ情報またはインデックス情報である、請求項６に記載のＳＴＡ。
【請求項１０】
前記送信パワー決定情報は、前記ＵＬ−ＯＦＤＭＡ送信ＳＴＡグループに含まれている前記少なくとも一つのＳＴＡの個数に対する情報を含む、請求項６に記載のＳＴＡ。
【発明の詳細な説明】
【技術分野】
【０００１】
本発明は、無線通信に関し、より詳しくは、無線ＬＡＮ（ｗｉｒｅｌｅｓｓ  ｌｏｃａｌ  ａｒｅａ  ｎｅｔｗｏｒｋ、ＷＬＡＮ）におけるアップリンクフレームを送信する方法及び装置に関する。
【背景技術】
【０００２】
無線ＬＡＮシステムにおいて、複数のＳＴＡ（ｓｔａｔｉｏｎ）が無線媒体を共有するための方法としてＤＣＦ（ｄｉｓｔｒｉｂｕｔｅｄ  ｃｏｏｒｄｉｎａｔｉｏｎ  ｆｕｎｃｔｉｏｎ）を使用することができる。ＤＣＦは、ＣＳＭＡ／ＣＡ（ｃａｒｒｉｅｒ  ｓｅｎｓｉｎｇ  ｍｕｌｔｉｐｌｅ  ａｃｃｅｓｓ  ｗｉｔｈ  ｃｏｌｌｉｓｉｏｎ  ａｖｏｉｄａｎｃｅ）に基づいている。
【０００３】
一般的に、ＤＣＦ接続環境下で動作する時、ＤＩＦＳ（ＤＣＦ  ｉｎｔｅｒ  ｆｒａｍｅ  ｓｐａｃｅ）期間以上に媒体が使用中でない場合（即ち、アイドル（ｉｄｌｅ）の場合）、ＳＴＡは、送信が間近に迫っているＭＰＤＵ（ＭＡＣ（ｍｅｄｉｕｍ  ａｃｃｅｓｓ  ｃｏｎｔｒｏｌ）ｐｒｏｔｏｃｏｌ  ｄａｔａ  ｕｎｉｔ）を送信することができる。媒体が搬送波検知メカニズム（ｃａｒｒｉｅｒ  ｓｅｎｓｉｎｇ  ｍｅｃｈａｎｉｓｍ）により使用中であると決定された場合、ＳＴＡは、ランダムバックオフアルゴリズム（ｒａｎｄｏｍ  ｂａｃｋｏｆｆ  ａｌｇｏｒｉｔｈｍ）によりＣＷ（ｃｏｎｔｅｎｔｉｏｎ  ｗｉｎｄｏｗ）のサイズを決定し、バックオフ手順を実行することができる。ＳＴＡは、バックオフ手順を実行するために、ＣＷ内のランダム値を選択し、選択されたランダム値に基づいてバックオフタイムを決定することができる。複数のＳＴＡが媒体に接続しようとする場合、複数のＳＴＡのうち、最も短いバックオフタイムを有するＳＴＡが媒体に接続することができ、残りのＳＴＡは、残ったバックオフタイムを中止し、媒体に接続したＳＴＡの送信が完了する時まで待機できる。媒体に接続したＳＴＡのフレーム送信が完了した後、残りのＳＴＡは、再び残ったバックオフタイムを有してコンテンションを実行することで送信リソースを取得することができる。このような方式で既存の無線ＬＡＮシステムでは一つのＳＴＡが全体送信リソースを占有してＡＰと通信を実行した。
【発明の概要】
【発明が解決しようとする課題】
【０００４】
本発明の目的は、無線ＬＡＮにおけるアップリンクフレームを送信する方法を提供することである。
【０００５】
本発明の他の目的は、無線ＬＡＮにおけるアップリンクフレームを送信する装置を提供することである。
【課題を解決するための手段】
【０００６】
前述した本発明の目的を達成するための本発明の一側面による、無線ＬＡＮにおけるアップリンクフレームを送信する方法は、ＵＬ（ｕｐｌｉｎｋ）−ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信ＳＴＡ（ｓｔａｔｉｏｎ）グループに含まれる少なくとも一つのＳＴＡがＡＰ（ａｃｃｅｓｓ  ｐｏｉｎｔ）から送信パワー決定情報を受信するステップ、前記少なくとも一つのＳＴＡが前記送信パワー決定情報に基づいてアップリンク送信パワーを決定するステップ、及び、前記少なくとも一つのＳＴＡがＯＦＤＭＡに基づいて割当を受けたチャネルの各々を介して重複時間リソース上で前記アップリンク送信パワーでアップリンクフレームを送信するステップを含み、前記ＵＬ−ＯＦＤＭＡ送信ＳＴＡグループは、前記ＯＦＤＭＡに基づいて前記ＡＰに重複時間リソース上で互いに異なる周波数リソースを介して前記アップリンクフレームを送信する前記少なくとも一つのＳＴＡを含むグループである。
【０００７】
前述した本発明の目的を達成するための本発明の他の側面による、無線ＬＡＮにおけるアップリンクフレームを送信するＵＬ（ｕｐｌｉｎｋ）−ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信ＳＴＡグループに含まれる少なくとも一つのＳＴＡ（ｓｔａｔｉｏｎ）において、前記少なくとも一つのＳＴＡは、無線信号を送信または受信するために具現されたＲＦ（ｒａｄｉｏ  ｆｒｅｑｕｅｎｃｙ）部、及び、前記ＲＦ部と動作可能に（ｏｐｅｒａｔｉｖｅｌｙ）連結されるプロセッサを含み、前記プロセッサは、ＡＰ（ａｃｃｅｓｓ  ｐｏｉｎｔ）から送信パワー決定情報を受信し、前記送信パワー決定情報に基づいてアップリンク送信パワーを決定し、ＯＦＤＭＡに基づいて割当を受けたチャネルの各々を介して重複時間リソース上で前記アップリンク送信パワーでアップリンクフレームを送信するように具現され、前記ＵＬ−ＯＦＤＭＡ送信ＳＴＡグループは、前記ＯＦＤＭＡに基づいて前記ＡＰに重複時間リソース上で互いに異なる周波数リソースを介して前記アップリンクフレームを送信する前記少なくとも一つのＳＴＡを含むグループである。
【発明の効果】
【０００８】
複数のＳＴＡのＵＬ（ｕｐｌｉｎｋ）−ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信時に発生するパワー不均衡問題を解決することができる。ＵＬ−ＯＦＤＡＭ送信でアップリンク送信パワーの均衡を取ることによって、周辺ＳＴＡのＮＡＶ（ｎｅｔｗｏｒｋ  ａｌｌｏｃａｔｉｏｎ  ｖｅｃｔｏｒ）設定及びチャネルアクセス延期（ｃｈａｎｎｅｌ  ａｃｃｅｓｓ  ｄｅｆｅｒｒａｌ）に対する影響を減少させることができる。また、ＵＬ−ＯＦＤＡＭ送信でアップリンク送信パワーの均衡を合わせることによって、ＵＬ−ＯＦＤＭＡ送信に基づいて送信されるアップリンクフレームを受信する受信端でのＡＧＣ（ａｕｔｏｍａｔｉｃ  ｇａｉｎ  ｃｏｎｔｒｏｌ）の性能劣化及びＡＧＣ具現の負担も減少させることができる。
【図面の簡単な説明】
【０００９】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】本発明の実施例に係るＵＬ−ＯＦＤＭＡ送信時、ＳＴＡの送信パワー制御方法を示す概念図である。
【図３】本発明の実施例に係るアップリンク送信パワー決定方法を示す概念図である。
【図４】本発明の実施例に係る送信パワー決定情報を送信する方法を示す概念図である。
【図５】本発明の実施例に係る送信パワー決定情報を送信する方法を示す概念図である。
【図６】本発明の実施例に係る送信パワー決定情報を送信する方法を示す概念図である。
【図７】本発明の実施例に係るＡＣＫフレームの送信方法を示す概念図である。
【図８】本発明の実施例に係る低いアップリンク送信パワー能力（ｃａｐａｂｉｌｉｔｙ）を有するＳＴＡのアップリンクフレーム送信方法を示す概念図である。
【図９】本発明の実施例に係るダウンリンク専用チャネルを介したダウンリンクフレームの送信を実行するためのＰＰＤＵフォーマットを示す概念図である。
【図１０】本発明の実施例が適用されることができる無線装置を示すブロック図である。
【発明を実施するための形態】
【００１０】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１１】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャＢＳＳ（Ｂａｓｉｃ  Ｓｅｒｖｉｃｅ  Ｓｅｔ）の構造を示す。
【００１２】
図１の上段を参照すると、無線ＬＡＮシステムは、一つまたはそれ以上のインフラストラクチャＢＳＳ１００、１０５（以下、ＢＳＳ）を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００１３】
ＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１４】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１５】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００１６】
図１の上段のようなＢＳＳでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ、ＩＢＳＳ）と定義する。
【００１７】
図１の下段は、ＩＢＳＳを示す概念図である。
【００１８】
図１の下段を参照すると、ＩＢＳＳは、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−４、１５５−５は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−４、１５５−５は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００１９】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２０】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２１】
以下、本発明の実施例では、ＡＰからＳＴＡへ送信されるデータ（または、フレーム）をダウンリンクデータ（または、ダウンリンクフレーム）、ＳＴＡからＡＰへ送信されるデータ（または、フレーム）をアップリンクデータ（または、アップリンクフレーム）という用語で表現できる。また、ＡＰからＳＴＡへの送信をダウンリンク送信、ＳＴＡからＡＰへの送信をアップリンク送信という用語で表現できる。
【００２２】
ＩＥＥＥ８０２．１１ａｃ以後の高い処理量（ｈｉｇｈ  ｔｈｒｏｕｇｈｐｕｔ）及びＱｏＥ（ｑｕａｌｉｔｙ  ｏｆ  ｅｘｐｅｒｉｅｎｃｅ）性能向上に対する要求として新しい無線ＬＡＮ標準に対する研究が進行されている。
【００２３】
次世代無線ＬＡＮシステムのための新しい機能（ｆｕｎｃｔｉｏｎａｌｉｔｙ）が定義され、新しい機能が無線ＬＡＮネットワークに適用されることができる。既存の無線ＬＡＮシステムをサポートするレガシ端末は、新しい機能をサポートしない。したがって、次世代無線ＬＡＮシステムの設計は、レガシ端末に対する性能に影響を与えない方向に実行されなければならない。
【００２４】
既存の無線ＬＡＮシステムは、マルチチャネル（ｍｕｌｔｉ−ｃｈａｎｎｅｌ）をサポートした。マルチチャネルがサポートされる場合、一つのＳＴＡは、２０ＭＨｚの基本帯域幅より広い広帯域化（ｗｉｄｅｒ  ｂａｎｄｗｉｄｔｈ）に基づく通信を実行することができる。
【００２５】
既存の無線ＬＡＮシステムでは、プライマリチャネル規則（ｐｒｉｍａｒｙ  ｃｈａｎｎｅｌ  ｒｕｌｅ）により広帯域化の運用上に制約があった。例えば、プライマリチャネルに隣接したチャネルであるセカンダリチャネルがＯＢＳＳ（ｏｖｅｒｌａｐｐｅｄ  ＢＳＳ）により使われている場合を仮定することができる。セカンダリチャネルがビジーの状況であると判断される場合、ＳＴＡは、セカンダリチャネルを帯域幅として使用することができない。したがって、ＳＴＡは、マルチチャネルに基づく通信を実行することができなかった。即ち、ＯＢＳＳが少なくない環境の場合、広帯域化の運用上の制約によりマルチチャネルに基づく高い処理量が取得されることができない。
【００２６】
本発明の実施例によると、このような既存の無線ＬＡＮの問題点を解決するために、ＳＴＡは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）に基づくアップリンク送信を実行することができる。ＯＦＤＭＡに基づくアップリンク送信は、ＵＬ（ｕｐｌｉｎｋ）−ＯＦＤＭＡ送信という用語で表現されることができる。ＯＦＤＭＡに基づくダウンリンク送信は、ＤＬ（ｄｏｗｎｌｉｎｋ）−ＯＦＤＭＡ送信という用語で表現されることができる。
【００２７】
ＵＬ−ＯＦＤＭＡ送信が使われる場合、ＩＦＦＴ（ｉｎｖｅｒｓｅ  ｆａｓｔ  ｆｏｕｒｉｅｒ  ｔｒａｎｓｆｏｒｍ）大きさ内でデータ（または、フレーム）の送信のために使われるサブバンド（または、サブチャネル）の数は、可変的である。具体的に、ＳＴＡは、チャネル状況によって可変的な個数のサブバンドを介してアップリンクフレームをＡＰに送信することができる。即ち、ＵＬ−ＯＦＤＭＡ送信が使われる場合、複数のＳＴＡの各々が重複時間リソース上で互いに異なるサブチャネルを介してフレームを送信することができる。
【００２８】
サブチャネルの可用性は、ＳＴＡによりＣＣＡ（ｃｌｅａｒ  ｃｈａｎｎｅｌ  ａｓｓｅｓｓｍｅｎｔ）に基づいて判断されることができる。このような可変的な個数のサブチャネルを介したＳＴＡのアップリンクフレームの送信は、受信端（例えば、ＡＰ）でのパワー不均衡（ｐｏｗｅｒ  ｉｍｂａｌａｎｃｅ）問題を発生させることができる。
【００２９】
受信端でのパワー不均衡の問題は、ＡＰでＡＧＣ（ａｕｔｏｍａｔｉｃ  ｇａｉｎ  ｃｏｎｔｒｏｌ）の性能及び具現に負担を与えることができる。具体的に、ＡＧＣを介してアナログ信号がデジタル信号に変換される場合、パワー不均衡による量子化エラー（ｑｕａｎｔｉｚａｔｉｏｎ  ｅｒｒｏｒ）の増加が発生できる。このような量子化エラーは、ＡＧＣの性能劣化を引き起こすことができる。また、パワー不均衡が発生する場合、パワーレベル範囲（ｒａｎｇｅ）の増加によるＡＧＣ具現の難しさが存在できる。
【００３０】
また、パワー不均衡は、周辺ＳＴＡのＮＡＶ（ｎｅｔｗｏｒｋ  ａｌｌｏｃａｔｉｏｎ  ｖｅｃｔｏｒ）設定及びチャネルアクセス延期（ｃｈａｎｎｅｌ  ａｃｃｅｓｓ  ｄｅｆｅｒｒａｌ）に影響を与えることができる。
【００３１】
もし、ＳＴＡがチャネルのビジー／アイドル（ｂｕｓｙ／ｉｄｌｅ）に関係なく無条件チャネルにデータを割り当てて送信する場合、不要なパワー消耗及び干渉（ｉｎｔｅｒｆｅｒｅｎｃｅ）などを引き起こすことができて好ましくない。
【００３２】
本発明の実施例によると、ＡＰがＤＬ−ＯＦＤＭＡに基づいて重複時間リソース上でダウンリンクフレームの各々を複数のＳＴＡの各々に送信する場合、ＡＰは、各サブチャネル別ＳＴＡへのパケット送信可否を知ることができる。即ち、ＡＰは、ＳＴＡにパケット送信のために使われるチャネルに対して知ることができ、ＳＴＡにパケット送信のために使われるチャネルに対する情報に基づいて送信パワーを制御することができる。
【００３３】
複数のＳＴＡがＵＬ−ＯＦＤＭＡに基づいて割り当てられたチャネルの各々を介してＡＰにフレームを送信する場合、複数のＳＴＡの各々は、他のＳＴＡの割り当てられたサブチャネルを介したフレームの送信可否に対して知ることができない。したがって、複数のＳＴＡによりＵＬ−ＯＦＤＭＡ送信が実行される場合、複数のＳＴＡの各々は、アップリンクフレームに対する送信パワーを調節しにくい。したがって、無線ＬＡＮシステムにおいて、ＵＬ−ＯＦＤＭＡ送信が実行される場合、ＳＴＡのアップリンクフレームに対する送信パワーを制御するための方法が必要である。
【００３４】
図２は、本発明の実施例に係るＵＬ−ＯＦＤＭＡ送信時、ＳＴＡの送信パワー制御方法を示す概念図である。
【００３５】
図２では、ＳＴＡ１  ２１０乃至ＳＴＡ４  ２４０のうち少なくとも一つのＳＴＡが２０ＭＨｚを介してＵＬ−ＯＦＤＭＡ送信を実行する場合に対して例示的に開示する。ＳＴＡ１  ２１０はチャネル１を、ＳＴＡ２  ２２０はチャネル３を、ＳＴＡ３  ２３０はチャネル２を、ＳＴＡ４  ２４０はチャネル４を、ＵＬ−ＯＦＤＭＡ送信のためのチャネルとして割当を受けた場合を仮定する。各々のチャネルは、ＵＬ−ＯＦＤＭＡ送信を実行する時、サブチャネルに対応されて解析されることができる。
【００３６】
各々のチャネル帯域幅は、２０ＭＨｚである。ＵＬ−ＯＦＤＭＡ送信のためのチャネルの割当を受けたＳＴＡ１  ２１０乃至ＳＴＡ４  ２４０の各々は、重複時間リソース上で割り当てられたチャネルの各々をＣＣＡに基づいてモニタリングし、割り当てられたチャネルの各々がアイドルかどうかを判断してアップリンクフレームを送信することができる。
【００３７】
例えば、図２を参照すると、チャネル１とチャネル３がアイドルの場合、ＳＴＡ１  ２１０は、チャネル１を介してアップリンクフレーム（または、パケット）を送信し、ＳＴＡ２  ２２０は、チャネル３を介してアップリンクフレームを送信することができる。それに対し、チャネル２とチャネル４がビジーの場合、ＳＴＡ３  ２３０は、チャネル２を介してアップリンクフレームを送信することができず、ＳＴＡ４  ２４０は、チャネル４を介してアップリンクフレームを送信することができない。
【００３８】
ＵＬ−ＯＦＤＭＡ送信が実行される場合、重複時間リソース上でＳＴＡ３  ２３０により送信されるアップリンクフレームとＳＴＡ４  ２４０により送信されるアップリンクフレームは、一つのＯＦＤＭＡパケットを形成することができる。一つのＯＦＤＭＡパケットは、重複時間リソース上で互いに異なる周波数帯域を介して送信されるデータである。
【００３９】
以下、本発明の実施例では、ＯＦＤＭＡパケットを構成して送信する少なくとも一つのＳＴＡ（即ち、重複時間リソース上でＵＬ−ＯＦＤＭＡ送信を実行する少なくとも一つのＳＴＡ）をＵＬ−ＯＦＤＭＡ送信ＳＴＡという用語で表現することもできる。図１の場合、ＳＴＡ１  ２１０及びＳＴＡ２  ２２０は、ＵＬ−ＯＦＤＭＡ送信ＳＴＡである。重複時間リソース上で互いに異なる周波数リソースを介して一つのＯＦＤＭＡパケットを送信する全てのＵＬ−ＯＦＤＭＡ送信ＳＴＡは、ＵＬ−ＯＦＤＭＡ送信ＳＴＡグループという用語で表現されることができる。図２の場合、ＵＬ−ＯＦＤＭＡ送信ＳＴＡグループは、ＳＴＡ１  ２１０及びＳＴＡ２  ２２０を含むことができる。
【００４０】
他の表現で、ＵＬ−ＯＦＤＭＡ送信グループは、ＯＦＤＭＡに基づいてＡＰに重複時間リソース上で互いに異なる周波数リソースを介してアップリンクフレームを送信する少なくとも一つのＳＴＡを含むグループである。
【００４１】
ＵＬ−ＯＦＤＭＡ送信ＳＴＡグループに含まれるＵＬ−ＯＦＤＭＡ送信ＳＴＡの各々がフルパワー（ｆｕｌｌ  ｐｏｗｅｒ）を使用してアップリンクフレームを送信する場合、ＵＬ−ＯＦＤＭＡ送信ＳＴＡグループに含まれるＵＬ−ＯＦＤＭＡ送信ＳＴＡの個数によって媒体上でセンシングされる送信パワーの変動（ｆｌｕｃｔｕａｔｉｏｎ）が大きい。媒体上でセンシングされる送信パワーの変動が大きい場合、周辺ＳＴＡのＣＣＡに基づくチャネルアクセス動作は、大きい影響を受けることができる。具体的に、周辺ＳＴＡは、ＣＣＡ（ｃｈａｎｎｅｌ  ｃｌｅａｒ  ａｓｓｅｓｓｍｅｎｔ）に基づいてチャネルのアイドル／ビジーを判断することができる。特定帯域幅の大きさで送信パワーが一定閾値以上の場合、ＣＣＡに基づいてチャネルがビジーであるとリポートされることができる。例えば、送信帯域幅８０ＭＨｚ上でセンシングされた送信パワーが−７６ｄｂｍ以上の場合、送信帯域幅８０ＭＨｚに対応されるチャネルは、ＣＣＡに基づいてビジーであるとリポートされることができる。したがって、媒体上でセンシングされる送信パワーの変動が大きい場合、周辺ＳＴＡによりセンシングされる送信パワーの変動が大きい。したがって、周辺ＳＴＡは、チャネルのビジー／アイドルを正確に判断することができない。
【００４２】
それだけでなく、ＵＬ−ＯＦＤＭＡ送信ＳＴＡグループに含まれるＵＬ−ＯＦＤＭＡ送信ＳＴＡの個数によって、ＵＬ−ＯＦＤＭＡ送信に基づいて送信されたアップリンクフレームを受信するＡＰの受信パワーの不均衡問題も発生できる。
【００４３】
本発明の実施例によると、ＵＬ−ＯＦＤＭＡ送信ＳＴＡは、アップリンクフレームの送信パワーを調節することができる。例えば、ＵＬ−ＯＦＤＭＡ送信ＳＴＡは、ＡＰからアップリンクフレームに対する送信パワーを調節するための情報を受信し、ＵＬ−ＯＦＤＭＡ送信を実行する時、アップリンクフレームに対する送信パワーを調節することができる。ＵＬ−ＯＦＤＭＡ送信ＳＴＡのＵＬ−ＯＦＤＭＡ送信のための送信パワーを調節する方法に対しては具体的に後述する。
【００４４】
例えば、ＵＬ−ＯＦＤＭＡ送信ＳＴＡは、ＵＬ−ＯＦＤＭＡ送信ＳＴＡグループに含まれるＵＬ−ＯＦＤＭＡ送信ＳＴＡの個数に対する情報及び／またはＵＬ−ＯＦＤＭＡ送信ＳＴＡグループに含まれるＵＬ−ＯＦＤＭＡ送信ＳＴＡにより使われるチャネルに対する情報をＡＰから受信することができる。以下、本発明の実施例において、ＵＬ−ＯＦＤＭＡ送信ＳＴＡの個数に対する情報という用語は、ＵＬ−ＯＦＤＭＡ送信ＳＴＡグループに含まれるＵＬ−ＯＦＤＭＡ送信ＳＴＡの個数に対する情報を指示する。また、ＵＬ−ＯＦＤＭＡ送信ＳＴＡグループにより使われるチャネルに対する情報という用語は、ＵＬ−ＯＦＤＭＡ送信ＳＴＡグループに含まれるＵＬ−ＯＦＤＭＡ送信ＳＴＡにより使われるチャネルに対する情報を指示することができる。
【００４５】
ＵＬ−ＯＦＤＭＡ送信ＳＴＡの個数に対する情報またはＵＬ−ＯＦＤＭＡ送信ＳＴＡグループにより使われるチャネルに対する情報のようにＵＬ−ＯＦＤＭＡ送信ＳＴＡのアップリンクフレームに対する送信パワーを決定するための情報は、送信パワー決定情報という用語で表現されることができる。ＵＬ−ＯＦＤＭＡ送信ＳＴＡのアップリンクフレームに対する送信パワーは、アップリンク送信パワーという用語で表現されることができる。
【００４６】
ＵＬ−ＯＦＤＭＡ送信ＳＴＡが送信パワー決定情報を知ることができる場合、ＵＬ−ＯＦＤＭＡ送信ＳＴＡは、アップリンク送信パワーを決定し、決定されたアップリンク送信パワーに基づいてアップリンクフレームを送信することができる。
【００４７】
アップリンク送信パワーは、周辺ＳＴＡのチャネルアクセス延期のためのＮＡＶ設定及び／またはアップリンクフレームを受信するＡＰの受信パワーの均衡を考慮して決定されることができる。例えば、アップリンク送信パワーは、周辺ＳＴＡのチャネルアクセス延期のためのＮＡＶ設定のための最小パワーで決定されることができる。
【００４８】
例えば、ＵＬ−ＯＦＤＭＡ送信ＳＴＡの個数が２個の場合、各々のＵＬ−ＯＦＤＭＡ送信ＳＴＡは、周辺ＳＴＡのチャネルアクセス延期のためのＮＡＶ設定のための最小パワー（例えば、−７６ｄｂｍ）を考慮して、周辺ＳＴＡのチャネルアクセス延期のためのＮＡＶ設定のための最小パワーの１／２大きさ（例えば、−７９ｄｂｍ）をアップリンク送信パワーで決定することができる。即ち、−７９ｄｂｍ大きさのアップリンク送信パワーで２個のＵＬ−ＯＦＤＭＡ送信ＳＴＡがアップリンクフレームを送信することによって、周辺ＳＴＡにより媒体上では−７６ｄｂｍに該当する送信パワーがセンシングされることができる。
【００４９】
以下、本発明の実施例では、説明の便宜上、ＵＬ−ＯＦＤＭＡ送信ＳＴＡのアップリンク送信パワーに対する例示は、距離によるパワー消耗がないと仮定したものである。ＵＬ−ＯＦＤＭＡ送信ＳＴＡのアップリンク送信パワーは、ＳＴＡとＡＰとの間の送受信距離によるパワー消耗が追加的に考慮されて決定されることもできる。
【００５０】
以下、本発明の実施例では、ＵＬ−ＯＦＤＭＡ送信ＳＴＡのアップリンク送信パワーを決定するための方法を具体的に開示する。
【００５１】
図３は、本発明の実施例に係るアップリンク送信パワー決定方法を示す概念図である。
【００５２】
図３を参照すると、ＡＰは、ＵＬ−ＯＦＤＭＡ  ＳＴＡに送信パワー決定情報３００を送信し、ＵＬ−ＯＦＤＭＡ  ＳＴＡは、送信パワー決定情報３００に基づいてアップリンク送信パワーを決定することができる。
【００５３】
ＡＰにより送信される送信パワー決定情報３００は、ＵＬ−ＯＦＤＭＡ送信ＳＴＡグループにより使われるチャネルに対する情報を含むことができる。
【００５４】
例えば、ＵＬ−ＯＦＤＭＡ送信ＳＴＡグループにより使われるチャネルに対する情報は、多様な方式に送信されることができる。例えば、ＵＬ−ＯＦＤＭＡ送信ＳＴＡグループにより使われるチャネルに対する情報は、ＵＬ−ＯＦＤＭＡ送信のための全体チャネル（以下、全体ＵＬ−ＯＦＤＭＡ送信チャネル）のうち、ＵＬ−ＯＦＤＭＡ送信ＳＴＡグループに含まれるＵＬ−ＯＦＤＭＡ送信ＳＴＡにより使われるチャネルを指示するビットマップ情報である。図１のような場合、ＵＬ−ＯＦＤＭＡ送信ＳＴＡグループにより使われるチャネルに対する情報は、全体ＵＬ−ＯＦＤＭＡ送信チャネル（チャネル１乃至チャネル４）のうち、ＵＬ−ＯＦＤＭＡ送信ＳＴＡグループにより使われるチャネル（チャネル１及びチャネル３）を指示するビットマップ情報である。
【００５５】
他の例として、ＵＬ−ＯＦＤＭＡ送信ＳＴＡグループにより使われるチャネルに対する情報は、ＵＬ−ＯＦＤＭＡ送信のための全体チャネル（以下、全体ＵＬ−ＯＦＤＭＡ送信チャネル）のうち、ＵＬ−ＯＦＤＭＡ送信ＳＴＡグループにより使われるチャネルを指示するインデックス情報である。図１のような場合、ＵＬ−ＯＦＤＭＡ送信ＳＴＡグループにより使われるチャネルに対する情報は、ＵＬ−ＯＦＤＭＡ送信ＳＴＡグループにより使われるチャネル（チャネル１及びチャネル３）を指示するインデックス情報である。
【００５６】
なお、他の例として、ＵＬ−ＯＦＤＭＡ送信ＳＴＡグループにより使われるチャネルに対する情報は、ＵＬ−ＯＦＤＭＡ送信ＳＴＡにより使われるチャネルの個数を指示する情報である。図１のような場合、ＵＬ−ＯＦＤＭＡ送信ＳＴＡグループにより使われるチャネルに対する情報は、ＵＬ−ＯＦＤＭＡ送信ＳＴＡグループにより使われるチャネル（チャネル１及びチャネル３）の個数（例えば、２個）を指示することができる。
【００５７】
ＵＬ−ＯＦＤＭＡ  ＳＴＡは、送信パワー決定情報３００であるＵＬ−ＯＦＤＭＡ送信ＳＴＡグループにより使われるチャネルに対する情報をＡＰから受信し、アップリンク送信パワーを決定することができる。例えば、ＵＬ−ＯＦＤＭＡ送信ＳＴＡグループにより使われるチャネルが２個の場合、ＵＬ−ＯＦＤＭＡ送信ＳＴＡグループに含まれるＵＬ−ＯＦＤＭＡ送信ＳＴＡの各々は、アップリンク送信パワーをデフォルトパワー（または、フルパワー）の１／２に決定し、決定されたアップリンク送信パワーでアップリンクフレームを送信することができる。他の例として、ＵＬ−ＯＦＤＭＡ送信ＳＴＡグループにより使われるチャネルが３個の場合、ＵＬ−ＯＦＤＭＡ送信ＳＴＡの各々は、アップリンク送信パワーをデフォルトパワー（または、フルパワー）の１／３に決定し、決定されたアップリンク送信パワーでアップリンクフレームを送信することができる。
【００５８】
また、他の例として、ＡＰは、送信パワー決定情報３００としてＵＬ−ＯＦＤＭＡ  ＳＴＡにアップリンク送信パワーの直接的な値を送信することもできる。即ち、送信パワー決定情報３００は、ＵＬ−ＯＦＤＭＡ  ＳＴＡグループにより使われるチャネルの個数に基づいて決定された具体的なアップリンク送信パワー値に対する情報を含むこともできる。アップリンク送信パワー値に対する情報は、シグナリングオーバーヘッドを減らすために量子化された値である。アップリンク送信パワー値に対する情報は、連続的なアップリンク送信パワー値に対して量子化レベルによる量子化を実行した値である。または、アップリンク送信パワー値に対する情報は、予め決定された複数のアップリンク送信パワーを含む集合上で一つのアップリンク送信パワーを指示する値である。
【００５９】
ＡＰは、ＵＬ−ＯＦＤＭＡ  ＳＴＡに多様な方法を使用して送信パワー決定情報３００を送信することができる。
【００６０】
図４は、本発明の実施例に係る送信パワー決定情報を送信する方法を示す概念図である。
【００６１】
図４では、ビーコンフレーム４００を介してＡＰにより送信される送信パワー決定情報が開示される。
【００６２】
図４を参照すると、例えば、ＡＰは、パッシブスキャニング手順のために使われるビーコンフレーム４００に送信パワー決定情報を含んで送信することができる。ＡＰは、設定された周期によってビーコンフレーム４００をブロードキャストすることができ、ビーコンフレーム４００を受信したＳＴＡは、ビーコンフレーム４００に含まれている情報に基づいてＡＰにアクセスできる。
【００６３】
例えば、ビーコンフレーム４００のフレームボディは、送信パワー決定情報を含むことができる。例えば、送信パワー決定情報は、ＵＬ−ＯＦＤＭＡ送信ＳＴＡ個数に対する情報、ＵＬ−ＯＦＤＭＡ送信ＳＴＡグループにより使われるチャネルに対する情報、ＵＬ−ＯＦＤＭＡ送信ＳＴＡのアップリンク送信パワー値に対する情報のうち少なくとも一つの情報を含むことができる。
【００６４】
図５は、本発明の実施例に係る送信パワー決定情報を送信する方法を示す概念図である。
【００６５】
図５では、候補ＵＬ−ＯＦＤＭＡ送信ＳＴＡグルーピングフレーム５００に含まれている情報を考慮して、送信パワー決定情報をＵＬ−ＯＦＭＤＡ送信ＳＴＡに送信する方法が開示される。
【００６６】
候補ＵＬ−ＯＦＤＭＡ送信ＳＴＡグルーピングフレーム５００は、候補ＵＬ−ＯＦＤＭＡ送信ＳＴＡをグルーピングした候補ＵＬ−ＯＦＤＭＡ送信ＳＴＡグループ５２０を設定するためのフレームである。候補ＵＬ−ＯＦＤＭＡ送信ＳＴＡグループ５２０は、重複時間上でＵＬ−ＯＦＤＭＡ送信を実行することができる複数の候補ＵＬ−ＯＦＤＭＡ送信ＳＴＡ（他の表現で、一つのＯＦＤＭＡパケットを構成する複数のＳＴＡ）を含むことができる。候補ＵＬ−ＯＦＤＭＡ送信ＳＴＡのうち少なくとも一つのＳＴＡが実際にＵＬ−ＯＦＤＭＡ送信を実行するＵＬ−ＯＦＤＭＡ送信ＳＴＡであり、候補ＵＬ−ＯＦＤＭＡ送信ＳＴＡグループ５２０にＵＬ−ＯＦＤＭＡ送信グループ５７０が含まれることができる。
【００６７】
ＡＰは、ＵＬ−ＯＦＤＭＡ送信のために、重複時間上で候補ＵＬ−ＯＦＤＭＡ送信ＳＴＡをグルーピングするために候補ＵＬ−ＯＦＤＭＡ送信ＳＴＡグルーピングフレーム５００を送信することができる。
【００６８】
ＡＰは、候補ＵＬ−ＯＦＤＭＡ送信ＳＴＡグルーピングフレーム５００に含まれている情報を考慮して、送信パワー決定情報をポーリングフレーム（または、トリガフレーム）５５０を介してＵＬ−ＯＦＭＤＡ送信ＳＴＡに送信することもできる。
【００６９】
ＡＰにより送信される候補ＵＬ−ＯＦＤＭＡ送信ＳＴＡグルーピングフレーム５００は、候補ＵＬ−ＯＦＤＭＡ送信ＳＴＡグループ５２０に対する情報を含むことができる。候補ＵＬ−ＯＦＤＭＡ送信ＳＴＡグループ５２０に対する情報は、候補ＵＬ−ＯＦＤＭＡ送信ＳＴＡグループ５２０に含まれる候補ＵＬ−ＯＦＤＭＡ送信ＳＴＡの各々を指示するためのインデックス情報及び／または候補ＵＬ−ＯＦＤＭＡ送信ＳＴＡの各々に対する順序情報を含むことができる。
【００７０】
ＡＰは、候補ＵＬ−ＯＦＤＭＡ送信ＳＴＡのうち、ＵＬ−ＯＦＤＭＡ送信ＳＴＡからのみアップリンクフレームを受信するために、ＵＬ−ＯＦＤＭＡ送信ＳＴＡのアップリンクフレーム送信前にＵＬ−ＯＦＤＭＡ送信をポーリングまたはトリガリングするためのポーリングフレーム（または、トリガフレーム）５５０を送信することができる。このようなＵＬ−ＯＦＤＭＡ送信ＳＴＡのアップリンクフレーム送信前にＵＬ−ＯＦＤＭＡ送信のポーリングまたはトリガリングは、候補ＵＬ−ＯＦＤＭＡ送信ＳＴＡグルーピングフレーム５００に含まれている候補ＵＬ−ＯＦＤＭＡ送信ＳＴＡの各々を指示するためのインデックス情報及び／または候補ＵＬ−ＯＦＤＭＡ送信ＳＴＡの各々に対する順序情報に基づいて実行されることができる。
【００７１】
また、ＵＬ−ＯＦＤＭＡ送信のためのポーリングフレーム５５０には、ＵＬ−ＯＦＤＭＡ送信ＳＴＡの各々のアップリンク送信パワーの決定のための送信パワー決定情報が含まれることができる。
【００７２】
例えば、ＵＬ−ＯＦＤＭＡ送信のためのポーリングフレーム５５０に含まれる送信パワー決定情報は、ＵＬ−ＯＦＤＭＡ送信ＳＴＡグループに含まれるＵＬ−ＯＦＤＭＡ送信ＳＴＡに対する情報、ＵＬ−ＯＦＤＭＡ送信ＳＴＡグループにより使われるチャネルに対する情報、ＵＬ−ＯＦＤＭＡ  ＳＴＡのアップリンク送信パワー値に対する情報のうち少なくとも一つの情報を含むことができる。
【００７３】
ＵＬ−ＯＦＤＭＡ送信のためのポーリングフレーム５５０を受信したＵＬ−ＯＦＤＭＡ送信ＳＴＡの各々は、受信したＵＬ−ＯＦＤＭＡ送信のためのポーリングフレーム５５０に基づいてアップリンク送信パワーを決定し、決定されたアップリンク送信パワーに基づいてアップリンクフレーム５８０を送信することができる。
【００７４】
図６は、本発明の実施例に係る送信パワー決定情報を送信する方法を示す概念図である。
【００７５】
図６では、ＲＴＳフレーム６００／ＣＴＳフレーム６５０の送信及び受信手順上でＣＴＳフレーム６３０に基づく送信パワー決定情報の送信方法が開示される。
【００７６】
ＵＬ−ＯＦＤＭＡ送信を実行しようとするＳＴＡは、ＲＴＳフレームをＡＰに送信することができる。ＲＴＳフレーム６００は、候補ＵＬ−ＯＦＤＭＡ送信ＳＴＡグループのうち一つのＳＴＡにより送信されることができる。ＡＰは、ＳＴＡのＵＬ−ＯＦＤＭＡ送信が可能な場合、ＳＴＡにＣＴＳフレーム６３０を送信することができる。ＣＴＳフレーム６３０を受信したＳＴＡは、ＵＬ−ＯＦＤＭＡ送信ＳＴＡであって、ＵＬ−ＯＦＤＭＡ送信を介してＡＰにアップリンクフレーム６５０を送信することができる。
【００７７】
ＣＴＳフレーム６３０が明示的に（ｅｘｐｌｉｃｉｔｌｙ）送信パワー決定情報を含むこともできるが、ＣＴＳフレーム６３０の送信自体に基づいて送信パワー決定情報を暗示的に取得することもできる。例えば、ＣＴＳフレーム６３０が送信されたチャネルは、ＵＬ−ＯＦＤＭＡ送信ＳＴＡグループにより使われるチャネルであることを暗示的に指示することができる。ＳＴＡは、ＣＴＳフレーム６３０の送信可否を確認するためにチャネルに対するモニタリングを実行することができる。または、ＣＴＳフレーム６３０でない他の応答フレームがＵＬ−ＯＦＤＭＡ送信ＳＴＡグループにより使われるチャネルであることを暗示的に指示するために使われることもできる。
【００７８】
本発明の実施例によると、ＴＸＯＰの設定時や管理フレームの送信時、送信パワー決定情報が暗示的に送信されることができる。
【００７９】
例えば、ＡＰは、ＴＸＯＰ設定（ｎｅｇｏｔｉａｔｉｏｎ）に基づいてＵＬ−ＯＦＤＭＡ送信ＳＴＡのＯＦＤＭＡパケット送信のための送信区間を保護（ｐｒｏｔｅｃｔｉｏｎ）することができる。ＡＰは、ＴＸＯＰの設定時、ＳＴＡに送信される応答フレーム（例えば、ＣＴＳフレーム）を介して応答フレームの送信チャネルが可用でＯＦＤＭＡパケット送信に使われることができることを暗示的または明示的に知らせることができる。
【００８０】
具体的に、ＵＬ−ＯＦＤＭＡ  ＳＴＡは、ＡＰにより送信されたＣＴＳフレームに含まれている送信パワー決定情報に基づいてアップリンク送信パワーを決定することもできるが、モニタリングされるチャネル上でＣＴＳフレームの探知可否に基づいてアップリンク送信パワーを決定することもできる。
【００８１】
例えば、図６を参照すると、ＳＴＡ１のＲＴＳフレーム６００の送信以後、ＳＴＡ１及びＳＴＡ２は、全体ＵＬ−ＯＦＤＭＡ送信チャネル上でＣＴＳフレーム６３０のような応答フレームの送信を探知することができる。
【００８２】
ＳＴＡ１及びＳＴＡ２は、ＵＬ−ＯＦＤＭＡ送信ＳＴＡグループにより使われるチャネルが２個であることを知ることができ、ＳＴＡ１及びＳＴＡ２の各々は、アップリンク送信パワーをデフォルトパワー（または、フルパワー）（例えば、−７６ｄｂｍ）の１／２である−７９ｄｂｍに決定できる。ＳＴＡ１及びＳＴＡ２の信号のアップリンク送信パワーの和は−７６ｄｂｍであり、ＡＰは、ＣＣＡ範囲（ｒａｎｇｅ）内でＯＦＤＭＡパケットをセンシングして受信することができる。また、ＳＴＡ１及びＳＴＡ２の各々は、送受信距離によるパワー消耗を追加的に考慮して、ＡＰのＯＦＤＭＡパケットのセンシングのためのアップリンク送信パワーを決定することができる。
【００８３】
図７は、本発明の実施例に係るＡＣＫフレームの送信方法を示す概念図である。
【００８４】
図７では、ＡＰがＤＬ−ＯＦＤＭＡ送信に基づいてダウンリンクフレーム７００を複数のＳＴＡに送信した場合を仮定することができる。ＳＴＡ１乃至ＳＴＡ４は、互いに異なるダウンリンクフレーム７００を各々受信することができる。ダウンリンクフレーム７００を受信した複数のＳＴＡのうちダウンリンクフレーム７００の受信を成功した少なくとも一つのＳＴＡは、ダウンリンクフレーム７００に対する応答フレームをＵＬ−ＯＦＤＭＡ送信に基づいてＡＰに送信することができる。このとき、ダウンリンクフレーム７００はダウンリンクデータフレームであり、応答フレームはＡＣＫフレームである。
【００８５】
したがって、ＤＬ−ＯＦＤＭＡ送信に基づいて送信された複数のダウンリンクデータフレームの受信を成功した少なくとも一つのＳＴＡの個数によって、前述したＵＬ−ＯＦＤＭＡ送信時、アップリンク送信パワーの不均衡問題が同様に発生できる。
【００８６】
本発明の実施例によると、ダウンリンクフレーム７００を受信した複数のＳＴＡは、ダウンリンクフレーム７００の受信成功時にのみ応答フレームを送ることではなく、ダウンリンクフレームの受信失敗時にも応答フレームを送信するように具現されることができる。
【００８７】
例えば、ダウンリンクフレーム７００がダウンリンクデータフレームであり、応答フレームがＡＣＫフレームの場合、ＳＴＡは、ダウンリンクデータフレームの受信を成功した時、ＡＣＫフレーム７３０を送信するだけでなく、ダウンリンクデータフレームの受信を失敗した時にもＮＡＣＫフレーム７５０を送信することができる。ＮＡＣＫフレーム７５０は、ダウンリンクデータフレームの受信失敗を指示するために新しく定義されるフレームである。
【００８８】
このような方式に、アップリンクフレームが送信される場合、複数のＳＴＡにおけるダウンリンクフレームの受信成功可否によるパワー不均衡問題は引き起こさない。
【００８９】
本発明の他の実施例によると、ダウンリンクフレームを受信した複数のＳＴＡは、ダウンリンクフレームに対する応答フレームの送信が強制されることもできる。例えば、ダウンリンクデータフレームを受信した複数のＳＴＡは、設定されたＴＸＯＰにチャネル使用が可用でないと判断されても、ＡＣＫフレーム／ＮＡＣＫフレームの送信を試みることができる。
【００９０】
図８は、本発明の実施例に係る低いアップリンク送信パワー能力（ｃａｐａｂｉｌｉｔｙ）を有するＳＴＡのアップリンクフレーム送信方法を示す概念図である。
【００９１】
図８では、低いアップリンク送信パワー能力を有するＳＴＡがチャネル別パケット送信可否に対する情報を活用することで、より高いＣＣＡ探知レベルのパワー値を要求するＵＬ−ＯＦＤＭＡ送信を実行することができる。
【００９２】
このような方法を介して低いアップリンク送信パワー能力を有するＳＴＡの送信カバレッジは、拡張されることができ、低いアップリンク送信パワー能力を有するＳＴＡもＵＬ−ＯＦＤＭＡ送信を実行することができる。
【００９３】
例えば、ＳＴＡ１は、２０ＭＨｚ帯域幅上で、受信側で−８２ｄｂｍのＣＣＡレベルで探知が可能なパワーで送信できるアップリンクパワー能力を有する端末である。具体的には、ＳＴＡ１は、−８２ｄｂｍ＋ａｌｐｈａのアップリンク送信パワー能力を有することができ、ａｌｐｈａは、距離によるパワー消耗マージンによるパラメータである。
【００９４】
８０ＭＨｚの送信帯域幅上でＣＣＡ探知レベルが−７６ｄｂｍであり、ＳＴＡ１のようなアップリンク送信パワー能力を有する他の３個のＳＴＡが同じＵＬ−ＯＦＤＭＡ送信ＳＴＡグループに含まれてＵＬ−ＯＦＤＭＡ送信を実行する場合、８０ＭＨｚの送信帯域幅上でＣＣＡ探知レベルである−７６ｄｂｍを満たすことができる。
【００９５】
図９は、本発明の実施例に係るダウンリンク専用チャネルを介したダウンリンクフレームの送信を実行するためのＰＰＤＵフォーマットを示す概念図である。
【００９６】
図９では、ＩＥＥＥ８０２．１１ａｘをサポートするＰＰＤＵフォーマットに対して開示する。ＰＰＤＵフォーマットのＰＨＹヘッダは、送信パワー決定情報を含むことができる。例えば、ＰＰＤＵフォーマットのＰＨＹヘッダは、ＵＬ−ＯＦＤＭＡ送信ＳＴＡ個数に対する情報、ＵＬ−ＯＦＤＭＡ送信ＳＴＡグループにより使われるチャネルに対する情報、ＵＬ−ＯＦＤＭＡ送信ＳＴＡのアップリンク送信パワー値に対する情報のうち少なくとも一つの情報を含むことができる。
【００９７】
図９の上段を参照すると、ダウンリンクＰＰＤＵのＰＨＹヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、ＨＥ−ＳＩＧ  Ｂ（ｈｉｇｈ  ｅｆｆｉｃｉｅｎｃｙ−ｓｉｇｎａｌ−Ｂ）を含むことができる。ＰＨＹヘッダにおいて、Ｌ−ＳＩＧまではレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【００９８】
Ｌ−ＳＴＦ９００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ９００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【００９９】
Ｌ−ＬＴＦ９１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ９１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０１００】
Ｌ−ＳＩＧ９２０は、制御情報を送信するために使われることができる。Ｌ−ＳＩＧ９２０は、データ送信率（ｒａｔｅ）、データ長さ（ｌｅｎｇｔｈ）に対する情報を含むことができる。
【０１０１】
本発明の実施例によると、ＨＥ−ＳＩＧ  Ａ９３０は、送信パワー決定情報を含むことができる。例えば、ＨＥ−ＳＩＧ  Ａ９３０は、ＵＬ−ＯＦＤＭＡ送信ＳＴＡ個数に対する情報、ＵＬ−ＯＦＤＭＡ送信ＳＴＡグループにより使われるチャネルに対する情報、ＵＬ−ＯＦＤＭＡ送信ＳＴＡのアップリンク送信パワー値に対する情報のうち少なくとも一つの情報を含むことができる。
【０１０２】
例えば、ＨＥ−ＳＩＧ  Ａ９３０は、ＵＬ−ＯＦＤＭＡ送信ＳＴＡ個数に対する情報またはＵＬ−ＯＦＤＭＡ送信ＳＴＡグループにより使われるチャネルに対する情報を指示するためのインデックス情報、ビットマップ情報を含むことができる。また、ＨＥ−ＳＩＧ  Ａ９３０は、量子化されたアップリンク送信パワー値に対する情報を含むこともできる。
【０１０３】
即ち、ＳＴＡは、ＡＰから送信されたＰＰＤＵに含まれているＨＥ−ＳＩＧ  Ａ９３０に基づいてアップリンク送信パワーを決定することができる。
【０１０４】
また、ＨＥ−ＳＩＧ  Ａ９３０は、候補ＵＬ−ＯＦＤＭＡ送信ＳＴＡ及び／または候補ＵＬ−ＯＦＤＭＡ送信ＳＴＡの各々に割り当てられたチャネルに対する情報を含むこともできる。例えば、候補ＵＬ−ＯＦＤＭＡ送信ＳＴＡグルーピングフレームを伝達するＰＰＤＵは、候補ＵＬ−ＯＦＤＭＡ送信ＳＴＡ及び／または候補ＵＬ−ＯＦＤＭＡ送信ＳＴＡの各々に割り当てられたチャネルに対する情報をＨＥ−ＳＩＧ−Ａ９３０に含んで送信することができる。
【０１０５】
また、ＨＥ−ＳＩＧ  Ａ９３０は、ダウンリンクを介して送信されるＰＰＤＵを受信するＳＴＡに対するＳＴＡ識別子フィールド及び／またはＰＰＤＵを受信するＳＴＡのダウンリンク受信チャネルに対する情報を含むこともできる。例えば、ＡＰは、複数のＳＴＡにＤＬ−ＯＦＤＭＡに基づく送信を実行することができ、ＤＬ−ＯＦＤＭＡ送信に基づいて送信されるＰＰＤＵのＨＥ−ＳＩＧ  Ａ９３０は、ＳＴＡ識別子フィールドに基づいてＰＰＤＵを受信するＳＴＡを指示することができる。また、ＰＰＤＵのＨＥ−ＳＩＧ  Ａ９３０は、ＰＰＤＵを受信するＳＴＡのダウンリンク受信チャネルに対する情報も指示できる。
【０１０６】
また、ＨＥ−ＳＩＧ  Ａ９３０は、ＢＳＳ識別情報のためのカラービット（ｃｏｌｏｒ  ｂｉｔｓ）情報、帯域幅（ｂａｎｄｗｉｄｔｈ）情報、テールビット（ｔａｉｌ  ｂｉｔ）、ＣＲＣビット、ＨＥ−ＳＩＧ  Ｂ９６０に対するＭＣＳ（ｍｏｄｕｌａｔｉｏｎ  ａｎｄ  ｃｏｄｉｎｇ  ｓｃｈｅｍｅ）情報、ＨＥ−ＳＩＧ  Ｂ９６０のためのシンボル個数情報、ＣＰ（ｃｙｃｌｉｃ  ｐｒｅｆｉｘ）（または、ＧＩ（ｇｕａｒｄ  ｉｎｔｅｒｖａｌ））長さ情報を含むこともできる。
【０１０７】
ＨＥ−ＳＴＦ９４０は、ＭＩＭＯ（ｍｕｌｔｉｐｌｅ  ｉｎｐｕｔ  ｍｕｌｔｉｐｌｅ  ｏｕｔｐｕｔ）環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０１０８】
ＨＥ−ＬＴＦ９５０は、ＭＩＭＯ環境またはＯＦＤＭＡ環境でチャネルを推定するために使われることができる。
【０１０９】
ＨＥ−ＳＩＧ  Ｂ９６０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さＭＣＳに対する情報及びテールビットなどを含むことができる。例えば、ＭＣＳに対する情報は、ＳＴＡの送信パワー情報または送信パワーに基づいて決定されることができる。ＭＣＳに対する情報は、ＵＬ−ＭＵ送信のためにＡＰにより送信されたポーリングフレーム（ｐｏｌｌｉｎｇ  ｆｒａｍｅ）またはトリガフレーム（ｔｒｉｇｇｅｒ  ｆｒａｍｅ）に基づいて指示されたＭＣＳと異なるＭＣＳ値を含むことができる。また、ＨＥ−ＳＩＧ  Ｂ９６０は、ＰＰＤＵを受信するＳＴＡに対する情報、ＯＦＤＭＡベースのリソース割当（ｒｅｓｏｕｒｃｅ  ａｌｌｏｃａｔｉｏｎ）情報（または、ＭＵ−ＭＩＭＯ情報）を含むこともできる。ＨＥ−ＳＩＧ  Ｂ９６０にＯＦＤＭＡベースのリソース割当情報（または、ＭＵ−ＭＩＭＯ関連情報）が含まれる場合、ＨＥ−ＳＩＧ  Ａ９３０には該当情報が含まれない場合もある。
【０１１０】
ＨＥ−ＳＴＦ９４０及びＨＥ−ＳＴＦ９４０以後のフィールドに適用されるＩＦＦＴの大きさと、ＨＥ−ＳＴＦ９４０以前のフィールドに適用されるＩＦＦＴの大きさは、互いに異なる。例えば、ＨＥ−ＳＴＦ９４０及びＨＥ−ＳＴＦ９４０以後のフィールドに適用されるＩＦＦＴの大きさは、ＨＥ−ＳＴＦ９４０以前のフィールドに適用されるＩＦＦＴの大きさより４倍大きい。ＳＴＡは、ＨＥ−ＳＩＧ  Ａ９３０を受信し、ＨＥ−ＳＩＧ  Ａ９３０に基づいてダウンリンクＰＰＤＵの受信指示を受けることができる。このような場合、ＳＴＡは、ＨＥ−ＳＴＦ９４０及びＨＥ−ＳＴＦ９４０以後のフィールドから変更されたＦＦＴサイズに基づいてデコーディングを実行することができる。それに対し、ＳＴＡがＨＥ−ＳＩＧ  Ａ９３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ９４０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０１１１】
ＨＥ−ＳＴＦ９４０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０１１２】
図９の上段で開示されたＰＰＤＵのフォーマットを構成するフィールドの順序は、変わる場合もある。例えば、図９の中段に開示されたように、ＨＥ部分のＨＥ−ＳＩＧ  Ｂ９１５がＨＥ−ＳＩＧ  Ａ９０５の直後に位置することもできる。ＳＴＡは、ＨＥ−ＳＩＧ  Ａ９０５及びＨＥ−ＳＩＧ  Ｂ９１５までデコーディングし、必要な制御情報を受信し、ＮＡＶを設定することができる。同様に、ＨＥ−ＳＴＦ９２５及びＨＥ−ＳＴＦ９２５以後のフィールドに適用されるＩＦＦＴの大きさは、ＨＥ−ＳＴＦ９２５以前のフィールドに適用されるＩＦＦＴの大きさと異なる。
【０１１３】
ＳＴＡは、ＨＥ−ＳＩＧ  Ａ９０５及びＨＥ−ＳＩＧ  Ｂ９１５を受信することができる。ＨＥ−ＳＩＧ  Ａ９０５のＳＴＡ識別子フィールドによりダウンリンクＰＰＤＵの受信が指示される場合、ＳＴＡは、ＨＥ−ＳＴＦ９２５からはＦＦＴサイズを変化させてダウンリンクＰＰＤＵに対するデコーディングを実行することができる。それに対し、ＳＴＡは、ＨＥ−ＳＩＧ  Ａ９０５を受信し、ＨＥ−ＳＩＧ  Ａ９０５に基づいてダウンリンクＰＰＤＵの受信が指示されない場合、ＮＡＶ（ｎｅｔｗｏｒｋ  ａｌｌｏｃａｔｉｏｎ  ｖｅｃｔｏｒ）を設定することができる。
【０１１４】
図９の下段を参照すると、ＤＬ（ｄｏｗｎｌｉｎｋ）ＭＵ（ｍｕｌｔｉ−ｕｓｅｒ）送信のためのダウンリンクＰＰＤＵフォーマットが開示される。ダウンリンクＰＰＤＵは、互いに異なるダウンリンク送信リソース（周波数リソースまたは空間的ストリーム）を介してＳＴＡに送信されることができる。即ち、ダウンリンクＰＰＤＵは、ダウンリンク専用チャネルに含まれる下位ダウンリンク専用チャネルを介して複数のＳＴＡに送信されることができる。ダウンリンクＰＰＤＵ上でＨＥ−ＳＩＧ  Ｂ９４５の以前フィールドは、互いに異なるダウンリンク送信リソースの各々でデュプリケートされた形態で送信されることができる。ＨＥ−ＳＩＧ  Ｂ９４５は、全体送信リソース上でエンコーディングされた形態で送信されることができる。ＨＥ−ＳＩＧ  Ｂ９４５以後のフィールドは、ダウンリンクＰＰＤＵを受信する複数のＳＴＡの各々のための個別情報を含むことができる。
【０１１５】
ダウンリンクＰＰＤＵに含まれるフィールドがダウンリンク送信リソースの各々を介して各々送信される場合、フィールドの各々に対するＣＲＣがダウンリンクＰＰＤＵに含まれることができる。それに対し、ダウンリンクＰＰＤＵに含まれる特定フィールドが全体ダウンリンク送信リソース上でエンコーディングされて送信される場合、フィールドの各々に対するＣＲＣがダウンリンクＰＰＤＵに含まれない。したがって、ＣＲＣに対するオーバーヘッドが減少されることができる。即ち、本発明の実施例によるＤＬ  ＭＵ送信のためのダウンリンクＰＰＤＵフォーマットは、全体送信リソース上でエンコーディングされた形態のＨＥ−ＳＩＧ  Ｂ９４５を使用することによって、ダウンリンクフレームのＣＲＣオーバーヘッドを減少させることができる。
【０１１６】
例えば、ＡＰがダウンリンク専用チャネルを介してＤＬ（ｄｏｗｎｌｉｎｋ）ＭＵ（ｍｕｌｔｉ−ｕｓｅｒ）ＯＦＤＭＡ送信に基づいてダウンリンクＰＰＤＵを送信した場合を仮定することができる。一つの下位ダウンリンク専用チャネル帯域幅が２０ＭＨｚの場合、ＳＴＡは、一つの下位ダウンリンク専用チャネルを介して送信されたＨＥ−ＳＩＧ  Ａ９３５をデコーディングしてダウンリンク送信リソースの割当を受けることができる。例えば、ＨＥ−ＳＩＧ  Ａ９３５は、ＳＴＡに割り当てられたダウンリンク専用チャネルが８０ＭＨｚであることを指示することができ、ＳＴＡは、８０ＭＨｚのダウンリンク専用チャネルを介して送信されるＨＥ−ＳＩＧ  Ａ以後のフィールドをデコーディングすることができる。
【０１１７】
ＤＬ  ＭＵ送信のためのダウンリンクＰＰＤＵフォーマットも同様に、ＨＥ−ＳＴＦ９５５及びＨＥ−ＳＴＦ９５５以後のフィールドは、ＨＥ−ＳＴＦ９５５以前のフィールドと異なるＩＦＦＴサイズに基づいてエンコーディングされることができる。したがって、ＳＴＡは、ＨＥ−ＳＩＧ  Ａ９３５及びＨＥ−ＳＩＧ  Ｂ９４５を受信し、ＨＥ−ＳＩＧ  Ａ９３５に基づいてダウンリンクＰＰＤＵの受信指示を受けた場合、ＨＥ−ＳＴＦ９５５からはＦＦＴサイズを変化させてダウンリンクＰＰＤＵに対するデコーディングを実行することができる。
【０１１８】
図１０は、本発明の実施例が適用されることができる無線装置を示すブロック図である。
【０１１９】
図１０を参照すると、無線装置１０００は、前述した実施例を具現することができるＳＴＡであり、ＡＰ１０００または非ＡＰ  ＳＴＡ（ｎｏｎ−ＡＰ  ｓｔａｔｉｏｎ）（または、ＳＴＡ）１０５０である。
【０１２０】
ＡＰ１０００は、プロセッサ１０１０、メモリ１０２０及びＲＦ部（ｒａｄｉｏ  ｆｒｅｑｕｅｎｃｙ  ｕｎｉｔ）１０３０を含む。
【０１２１】
ＲＦ部１０３０は、プロセッサ１０１０と連結して無線信号を送信／受信することができる。
【０１２２】
プロセッサ１０１０は、本発明で提案された機能、過程及び／または方法を具現することができる。例えば、プロセッサ１０１０は、前述した本発明の実施例による無線装置の動作を実行するように具現されることができる。プロセッサは、図２乃至図９の実施例で開示した無線装置の動作を実行することができる。
【０１２３】
例えば、プロセッサ１０１０は、ＳＴＡに送信パワー決定情報を送信するために具現されることができる。具体的に、プロセッサ１０１０は、送信パワー決定情報を生成し、ＵＬ−ＯＦＤＭＡ送信グループに含まれる少なくとも一つのＳＴＡに送信パワー決定情報を送信するために具現されることができる。
【０１２４】
ＳＴＡ１０５０は、プロセッサ１０６０、メモリ１０７０及びＲＦ部（ｒａｄｉｏ  ｆｒｅｑｕｅｎｃｙ  ｕｎｉｔ）１０８０を含む。
【０１２５】
ＲＦ部１０８０は、プロセッサ１０６０と連結して無線信号を送信／受信することができる。
【０１２６】
プロセッサ１０６０は、本発明で提案された機能、過程及び／または方法を具現することができる。例えば、プロセッサ１０２０は、前述した本発明の実施例による無線装置の動作を実行するように具現されることができる。プロセッサは、図２乃至図９の実施例で無線装置の動作を実行することができる。
【０１２７】
例えば、プロセッサ１０６０は、ＡＰ（ａｃｃｅｓｓ  ｐｏｉｎｔ）から送信パワー決定情報を受信し、送信パワー決定情報に基づいてアップリンク送信パワーを決定することができる。また、プロセッサ１０６０は、ＯＦＤＭＡに基づいて割当を受けたチャネルの各々を介して重複時間リソース上で前記アップリンク送信パワーでアップリンクフレームを送信するように具現されることができる。ＵＬ−ＯＦＤＭＡ送信グループは、ＯＦＤＭＡに基づいて前記ＡＰに重複時間リソース上で互いに異なる周波数リソースを介して前記アップリンクフレームを送信する少なくとも一つのＳＴＡを含むグループである。
【０１２８】
プロセッサ１０１０、１０６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１０２０、１０７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１０３０、１０８０は、無線信号を送信及び／または受信する一つ以上のアンテナを含むことができる。
【０１２９】
実施例がソフトウェアで具現される時、前述した技法は、前述した機能を遂行するモジュール（過程、機能など）で具現されることができる。モジュールは、メモリ１０２０、１０７０に格納され、プロセッサ１０１０、１０６０により実行されることができる。メモリ１０２０、１０７０は、プロセッサ１０１０、１０６０の内部または外部にあり、よく知られた多様な手段でプロセッサ１０１０、１０６０と連結されることができる。
【図１】
0006416257.tif 000002
【図２】
0006416257.tif 000003
【図３】
0006416257.tif 000004
【図４】
0006416257.tif 000005
【図５】
0006416257.tif 000006
【図６】
0006416257.tif 000007
【図７】
0006416257.tif 000008
【図８】
0006416257.tif 000009
【図９】
0006416257.tif 000010
【図１０】
0006416257.tif 000011